【手続補正書】
【提出日】平成28年3月15日(2016.3.15)
【手続補正１】
【補正対象書類名】明細書
【補正対象項目名】００７３
【補正方法】変更
【補正の内容】
【００７３】
上記の構造は層ごとの材料の種類、層およびフィルム全体の数および厚みについて例示するものである。どの層も、異なる材料ならびに化学添加物または鉱物添加物（例えば紫外線安定剤、酸化防止剤、ドリッピング防止剤、防曇剤、防塵剤、赤外線吸収剤または反射材、核化剤、ナノコンポジット、中和剤、有色濃縮物、滑剤、帯電防止剤、および特定用途のための特殊添加剤のブレンドを含み得る。
本明細書の開示内容は、以下の態様を含み得る。
（態様１）
農業構造体または温室を覆うための多層ポリマーフィルムであって
（ｉ）ポリプロピレン、ポリブテン、熱可塑性ポリウレタン、ポリエステルまたはこれらのうちの２つ以上の組み合わせを含む、少なくとも１つの層と；
（ｉｉ）該層に接続された少なくとも１つの更なるポリマー層と；
を含み、層（ｉ）と層（ｉｉ）が、ＡＳＴＭ−Ｄ１８７６を使用して測定した際に２５０ｇ／１５ｍｍ未満の平均剥離強度を有し；
少なくとも１つの更なるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含み；
フィルムがＡＳＴＭ−Ｄ１００３−９２を使用して測定した際に３０％より大きい光透過率を有する；ことを特徴とする、多層ポリマーフィルム。
（態様２）
３つ以上の層を含む、農業構造体または温室を覆うための多層ポリマーフィルムであって
（ｉ）ポリプロピレン、ポリブテン、熱可塑性ポリウレタン、ポリエステルまたはこれらのうちの２つ以上の組み合わせを含む、少なくとも１つの層と；
（ｉｉ）該層に接続された少なくとも１つの更なるポリマー層と；
を含み、層（ｉ）と層（ｉｉ）が、ＡＳＴＭ−Ｄ１８７６を使用した際に２５０ｇ／１５ｍｍ未満の平均剥離強度を有し；
少なくとも１つの更なるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含み；
フィルムがＡＳＴＭ−Ｄ１００３−９２を使用して測定した際に３０％より大きい光透過率を有する；
ことを特徴とし、多層に含まれる３層のうち少なくとも２つが剥離可能であり、これら３層のうちの中間の層が層（ｉ）であるような多層ポリマーフィルム。
（態様３）
層（ｉ）がポリプロピレンランダムコポリマーを含む、態様１または２に記載のポリマーフィルム。
（態様４）
層（ｉ）および層（ｉｉ）の少なくとも８０％が、好ましくは少なくとも９５％が他方から剥離されていることを特徴とする、態様１〜３のいずれかに記載のポリマーフィルム。
（態様５）
層（ｉ）および層（ｉｉ）が、２５０ｇ／１５ｍｍ未満の、好ましくは１５０ｇ／１５ｍｍ未満の平均剥離強度を有することを特徴とする、態様１〜４のいずれかに記載のポリマーフィルム。
（態様６）
ポリプロピレン、ポリブテン、熱可塑性ポリウレタン、ポリエステル、またはこれらのうちの２つ以上の組み合わせを含む層（ｉ）が、該ポリマーを２０ｗｔ％より多く、好ましくは５０ｗｔ％より多く、より好ましくは７５ｗｔ％より多く含むことを特徴とする、態様１〜５のいずれかに記載のポリマーフィルム。
（態様７）
層（ｉｉ）が、１つまたは２つ以上の前記ポリマーを１０ｗｔ％より多く、好ましくは５０ｗｔ％より多く含むことを特徴とする、態様１〜６のいずれかに記載のポリマーフィルム。
（態様８）
ポリプロピレン、ポリブテン、熱可塑性ポリウレタン、ポリエステルおよびこれらのうちの２つ以上の組み合わせからなる群から選択される少なくとも１つのポリマー材料を含む層（ｉ）が０.０３〜３００μｍの、好ましくは１〜２００μｍの厚さを有し；
フィルムの総厚さが２５〜１０００μｍ、好ましくは１５０〜６００μｍであり；
フィルムの総幅が１〜３０ｍである；
ことを特徴とする、態様１〜７のいずれかに記載のポリマーフィルム。
（態様９）
フィルムが１〜２０の、好ましくは１〜１０の、より好ましくは３、４、５、６または７の追加の層を更に含むことを特徴とする、態様１〜８のいずれかに記載のポリマーフィルム。
（態様１０）
フィルムが結束樹脂、ならびに／あるいは結束濃縮物、紫外線安定剤、酸化防止剤、ドリッピング防止剤、防曇剤、防塵剤、赤外腺吸収剤、核化剤、滑剤、ブロック防止剤、発泡剤およびナノコンポジットからなる群から選択される１つ以上の化学または鉱物添加物を更に含むことを特徴とする、態様１〜９のいずれかに記載のポリマーフィルム。
（態様１１）
フィルムが、ブローまたはキャスト共押出によって作成可能であることを特徴とする、態様１〜１０のいずれかに記載のポリマーフィルム。
（態様１２）
態様１〜１１のいずれかに記載のポリマーフィルムまたはシートの、農業構造体または温室と組み合わせての使用であって、農業構造体または温室の少なくとも一部を覆うためにフィルムが用いられる使用。
（態様１３）
少なくとも一部が態様１〜１１のいずれかに記載のポリマーフィルムで覆われることを特徴とする農業構造体または温室。
（態様１４）
態様１〜１１のいずれかに記載のポリマーフィルムで、農業構造体または温室を覆う方法であって、
（ｉ）ポリプロピレン、ポリブテン、熱可塑性ポリウレタン、ポリエステルまたはこれらのうちの２つ以上の組み合わせを含む少なくとも１つの層と、（ｉｉ）少なくとも１つの更なるポリマー層との間にガスを挿入する工程を含む、方法。
（態様１５）
ガス、好ましくは空気が、層（ｉ）と層（ｉｉ）との間に２０ｋＰａ未満の、好ましくは１５ｋＰａ未満の圧力で挿入されること特徴とする、態様１４に記載の農業構造体または温室を覆う方法。
（態様１６）
包装用途のためのコンテナライナーとしての、態様１〜１１のいずれかに記載のポリマーフィルムの使用。
【手続補正２】
【補正対象書類名】特許請求の範囲
【補正対象項目名】全文
【補正方法】変更
【補正の内容】
【特許請求の範囲】
【請求項１】
農業構造体または温室を覆うための多層ポリマーフィルムであって
（ｉ）ポリプロピレン、ポリブテン、熱可塑性ポリウレタン、ポリエステルまたはこれらのうちの２つ以上の組み合わせを含む、少なくとも１つの層と；
（ｉｉ）該層に接続された少なくとも１つの更なるポリマー層と；
を含み、層（ｉ）と層（ｉｉ）が、ＡＳＴＭ−Ｄ１８７６を使用して測定した際に２５０ｇ／１５ｍｍ未満の平均剥離強度を有し；
少なくとも１つの更なるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含み；
フィルムがＡＳＴＭ−Ｄ１００３−９２を使用して測定した際に３０％より大きい光透過率を有する；ことを特徴とする、多層ポリマーフィルム。
【請求項２】
３つ以上の層を含む、農業構造体または温室を覆うための多層ポリマーフィルムであって
（ｉ）ポリプロピレン、ポリブテン、熱可塑性ポリウレタン、ポリエステルまたはこれらのうちの２つ以上の組み合わせを含む、少なくとも１つの層と；
（ｉｉ）該層に接続された少なくとも１つの更なるポリマー層と；
を含み、層（ｉ）と層（ｉｉ）が、ＡＳＴＭ−Ｄ１８７６を使用した際に２５０ｇ／１５ｍｍ未満の平均剥離強度を有し；
少なくとも１つの更なるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含み；
フィルムがＡＳＴＭ−Ｄ１００３−９２を使用して測定した際に３０％より大きい光透過率を有する；
ことを特徴とし、多層に含まれる３層のうち少なくとも２つが剥離可能であり、これら３層のうちの中間の層が層（ｉ）であるような多層ポリマーフィルム。
【請求項３】
層（ｉ）がポリプロピレンランダムコポリマーを含む、請求項１または２に記載のポリマーフィルム。
【請求項４】
層（ｉ）および層（ｉｉ）の少なくとも５０％が他方から剥離されていることを特徴とする、請求項１〜３のいずれかに記載のポリマーフィルム。
【請求項５】
２つ以上の層が、その外周部の一部または全体において接着されている、請求項１〜４のいずれかに記載のポリマーフィルム。
【請求項６】
外周部がフィルムの周縁部１〜２０ｃｍである、請求項５に記載のポリマーフィルム。
【請求項７】
フィルムが剥離されない領域を含む、請求項１〜６のいずれかに記載のポリマーフィルム。
【請求項８】
フィルムの剥離されない領域が接着剤または結束材を含むか、あるいはフィルムの剥離されない領域が熱処理またはプラズマ処理されているか、もしくは機械的にブロッキングされている、請求項７に記載のポリマーフィルム。
【請求項９】
ポリプロピレン、ポリブテン、熱可塑性ポリウレタン、ポリエステル、またはこれらのうちの２つ以上の組み合わせを含む層（ｉ）が、該ポリマーを２０ｗｔ％より多く含むことを特徴とする、請求項１〜８のいずれかに記載のポリマーフィルム。
【請求項１０】
層（ｉｉ）が、１つまたは２つ以上の前記ポリマーを１０ｗｔ％より多く含むことを特徴とする、請求項１〜９のいずれかに記載のポリマーフィルム。
【請求項１１】
ポリプロピレン、ポリブテン、熱可塑性ポリウレタン、ポリエステルおよびこれらのうちの２つ以上の組み合わせからなる群から選択される少なくとも１つのポリマー材料を含む層（ｉ）が０.０３〜３００μｍの厚さを有し；
フィルムの総厚さが２５〜１０００μｍであり；
フィルムの総幅が１〜３０ｍである；
ことを特徴とする、請求項１〜１０のいずれかに記載のポリマーフィルム。
【請求項１２】
フィルムが１〜２０の追加の層を更に含むことを特徴とする、請求項１〜１１のいずれかに記載のポリマーフィルム。
【請求項１３】
フィルムが結束樹脂、ならびに／あるいは結束濃縮物、紫外線安定剤、酸化防止剤、ドリッピング防止剤、防曇剤、防塵剤、赤外腺吸収剤、核化剤、滑剤、ブロック防止剤、発泡剤およびナノコンポジットからなる群から選択される１つ以上の化学または鉱物添加物を更に含むことを特徴とする、請求項１〜１２のいずれかに記載のポリマーフィルム。
【請求項１４】
フィルムが、ブローまたはキャスト共押出によって作成可能であることを特徴とする、請求項１〜１３のいずれかに記載のポリマーフィルム。
【請求項１５】
請求項１〜１４のいずれかに記載のポリマーフィルムまたはシートの、農業構造体または温室と組み合わせての使用であって、農業構造体または温室の少なくとも一部を覆うためにフィルムが用いられる使用。
【請求項１６】
少なくとも一部が請求項１〜１４のいずれかに記載のポリマーフィルムで覆われることを特徴とする農業構造体または温室。
【請求項１７】
請求項１〜１４のいずれかに記載のポリマーフィルムで、農業構造体または温室を覆う方法であって、
（ｉ）ポリプロピレン、ポリブテン、熱可塑性ポリウレタン、ポリエステルまたはこれらのうちの２つ以上の組み合わせを含む少なくとも１つの層と、（ｉｉ）少なくとも１つの更なるポリマー層との間にガスを挿入する工程を含む、方法。
【請求項１８】
ガスが、層（ｉ）と層（ｉｉ）との間に２０ｋＰａ未満の圧力で挿入されること特徴とする、請求項１７に記載の農業構造体または温室を覆う方法。
【請求項１９】
包装用途のためのコンテナライナーとしての、請求項１〜１４のいずれかに記載のポリマーフィルムの使用。